(57)【特許請求の範囲】
【請求項１】
楽音を形成する倍音の信号レベルを設定する倍音レベル設定部と、
該倍音レベル設定部で信号レベルが設定された倍音をフィルタリングするためのフィルタ特性を設定するフィルタ特性設定部と、
前記倍音レベル設定部で設定された倍音の信号レベルを表す図形上に、前記フィルタ特性設定部で設定されたフィルタ特性を表す図形を重ねて画面に表示する表示器、
とを備えた電子楽器。
【発明の詳細な説明】
【０００１】
【発明の属する技術分野】
本発明は、種々の音色で楽音を発生する電子楽器に関し、特に倍音加算合成方式を採用する音源に音色を設定する際の操作性を向上させる技術に関する。
【０００２】
【従来の技術】
従来、倍音加算合成方式（正弦波合成方式、フーリエ合成方式等とも呼ばれる）が採用された音源を備えたシンセサイザ、電子キーボード等が開発されている。このような音源の１つとして、基音とその倍音を加算合成し、更にフォルマントフィルタでフィルタリングすることにより楽音信号を発生するものが知られている。この音源によれば、各倍音の信号レベル及びフォルマントフィルタの特性を適宜調整することにより、種々の音色の楽音信号を発生できる。なお、フォルマントフィルタに関する技術は、例えば特開平４−９３７７６号公報に「適応型音声強調装置」として開示されている。
【０００３】
ところで、この従来の電子楽器では、各倍音の信号レベル及びフォルマントフィルタの特性は、操作パネルに設けられたディスプレイ装置と操作子とを用いて設定される。例えば、倍音の信号レベルを変更する場合は、先ず操作パネルに設けられた編集スイッチを使用して倍音の信号レベルの設定画面を呼び出し、ディスプレイ装置に表示させる。これにより、ディスプレイ装置には、現在設定されている基音から６４倍音までの各倍音の信号レベルが縦棒で表示される。この状態で、カーソル移動スイッチを操作して変更したい倍音の位置までカーソルを移動し、ダイヤルを操作して倍音の信号レベルを変更する。
【０００４】
一方、フォルマントフィルタの特性を変更する場合は、先ず編集スイッチを使用してフォルマントフィルタ特性の設定画面を呼び出し、ディスプレイ装置に表示させる。これにより、ディスプレイ装置には、現在設定されているフォルマントフィルタ特性が、各周波数帯域のフォルマントフィルタレベルとして折れ線で表示される。この状態で、カーソル移動スイッチを操作して変更したい周波数帯域の位置までカーソルを動かし、ダイヤルを操作してフォルマントフィルタレベルを変更する。
【０００５】
以上の操作により倍音の信号レベル及びフォルマントフィルタレベルが設定されると、これらを表すデータが音源に送られる。音源では、各倍音の信号レベルを表すデータを、フォルマントフィルタレベルを表すデータに従った特性でフィルタリングすることにより楽音信号を生成する。従って、ユーザは、倍音の信号レベル及びフォルマントフィルタレベルを適宜設定することにより任意の音色を有する楽音を発生させることができる。
【０００６】
【発明が解決しようとする課題】
しかしながら、上述した従来の電子楽器は、次のような問題を有する。即ち、音源は、設定された倍音の信号レベルをフォルマントフィルタでフィルタリングすることにより得られた倍音の信号レベルに従って楽音信号を生成する。従って、ユーザは、現在設定されている各倍音の信号レベル及びフォルマントフィルタの特性（フォルマントフィルタレベル）の双方を見ることにより初めて最終的な倍音構成を知ることができる。
【０００７】
ところが、上述したように、倍音の信号レベルの設定画面とフォルマントフィルタ特性の設定画面とが異なるため、次のような問題が生じている。例えば、倍音の信号レベルの設定画面で高次側に多くの倍音が存在するように設定しても、フォルマントフィルタ特性の設定画面ではこれを見ることができないので、高次側に存在する倍音がカットされる特性を有するようにフォルマントフィルタレベルを設定することがある。このような設定がなされると、倍音の信号レベルの設定画面で設定された高次側の倍音は発音されない。
【０００８】
逆に、フォルマントフィルタ特性の設定画面では、倍音の信号レベルを見ることができないので、倍音が存在しない周波数帯域でフォルマントフィルタレベルを変化させることがある。この場合、フォルマントフィルタ特性が変化するようにフォルマントフィルタレベルを設定しても音色は変化しない。このように、ユーザの設定誤りが引き起され易いことにより、所望の音色を得るのが難しく、ユーザは電子楽器が故障していると勘違いするという問題がある。
【０００９】
本発明は、このような問題を解消するためになされたもので、その目的は、ユーザが所望する音色を簡単且つ確実に設定できる電子楽器を提供することにある。
【００１０】
【課題を解決するための手段】
上記目的を達成するために、本発明に係る電子楽器は、楽音を形成する倍音の信号レベルを設定する倍音レベル設定部と、該倍音レベル設定部で信号レベルが設定された倍音をフィルタリングするためのフィルタ特性を設定するフィルタ特性設定部と、前記倍音レベル設定部で設定された倍音の信号レベルと前記フィルタ特性設定部で設定されたフィルタ特性とに基づいて生成された倍音の信号レベルを表す図形を画面に表示する表示器、とから構成されている。
【００１１】
この電子楽器においては、前記表示器は、前記倍音レベル設定部で設定された倍音の信号レベルを前記フィルタ特性設定部で設定されたフィルタ特性に従ってフィルタリングすることにより得られた倍音の信号レベルを表す図形を画面に表示するように構成できる。この場合、前記フィルタリングは、前記倍音レベル設定部で設定された倍音の信号レベルと前記フィルタ特性設定部で設定されたフィルタ特性を表すフィルタレベルとを乗算することにより行われるように構成できる。
【００１２】
また、前記表示器は、前記倍音レベル設定部で設定された倍音の信号レベルを表す図形上に、前記フィルタ特性設定部で設定されたフィルタ特性を表す図形を重ねて表示するように構成することができる。
【００１３】
本発明に係る電子楽器によれば、フィルタ特性が反映された倍音の信号レベルが画面に表示されるので、ユーザは倍音の信号レベル及びフィルタ特性の何れを変化させる場合であっても、表示器の表示内容を確認するだけで任意の倍音構成を設定できる。その結果、ユーザは、所望する音色を簡単且つ確実に得ることができる。
【００１４】
【発明の実施の形態】
以下、本発明の実施の形態を図面を参照しながら詳細に説明する。なお、以下においては、基音から６４倍音までを制御可能な電子楽器について説明するが、倍音数はこれに限定されず任意とすることができる。
【００１５】
図１は、本発明の実施の形態に係る電子楽器の構成を示すブロック図である。この電子楽器は、バス２０によって接続されたＣＰＵ１０、プログラムメモリ１１、ワークメモリ１２、鍵盤装置１３、操作パネル１４及び音源１５から構成されている。音源１５にはスピーカ１６が接続されている。
【００１６】
ＣＰＵ１０は、プログラムメモリ１１に記憶されている制御プログラムに従ってこの電子楽器の全体を制御する。このＣＰＵ１０による制御の内容は、後にフローチャートを参照しながら詳細に説明する。プログラムメモリ１１は、例えばリードオンリメモリ（以下、「ＲＯＭ」という）から構成され、上述した制御プログラムの他に、ＣＰＵ１０が使用する種々の固定データを記憶している。
【００１７】
ワークメモリ１２は、例えばランダムアクセスメモリ（以下、「ＲＡＭ」という）から構成され、この電子楽器で各種処理が行われる際に、種々のデータを一時記憶する。また、このワークメモリ１２には、図２に示すような表示バッファＨＤＬ、倍音レベルバッファＨＬ及びフォルマントフィルタレベルバッファＦＬが形成されている。また、このワークメモリ１２には、電子楽器を制御するための各種レジスタ、カウンタ、フラグ等が定義されているが、これらについては、以下において出現する都度説明する。
【００１８】
このワークメモリ１２に設けられた表示バッファＨＤＬは、操作パネル１４の表示器３０（詳細後述）に表示させるデータを記憶する。また、倍音レベルバッファＨＬは、操作パネル１４から設定された基音〜６４倍音の各信号レベルを記憶する。また、フォルマントフィルタレベルバッファＦＬは、操作パネル１４から設定された各周波数帯域のフォルマントフィルタレベルを記憶する。なお、複数の周波数帯域のそれぞれは複数の倍音のそれぞれに対応している。これら表示バッファＨＤＬ、倍音レベルバッファＨＬ及びフォルマントフィルタレベルバッファＦＬの各々は、各倍音（周波数帯域）に対応した６４個の記憶領域を備えている。
【００１９】
鍵盤装置１３は複数の鍵から構成されている。各鍵は、押鍵によって発音を指示し、離鍵によって消音を指示する。この鍵盤装置１３としては、例えば２接点方式の鍵盤装置を用いることができる。この鍵盤装置１３は、図示しないキースキャン回路を含んでおり、このキースキャン回路によって各鍵のオン／オフを表すキーデータ及び各鍵の押下速度（押鍵の強さ）を表すタッチデータを生成してＣＰＵ１０に送る。
【００２０】
操作パネル１４は、図３に示すように、表示器３０、カーソル移動キー３１及びダイヤル３２を備えている。表示器３０は例えばＬＣＤから構成されている。この表示器３０には、６４個の倍音をフォルマントフィルタ１５１（後述する）でフィルタリングした結果の倍音の信号レベルが縦棒で棒グラフ状に表示される。なお、この表示器３０は、倍音の信号レベルを表示する他に、各種メッセージを表示するためにも使用される。
【００２１】
カーソル移動キー３１は、表示器３０上のカーソルを左側に動かすためのキー３１ａ及び右側に動かすためのキー３１ｂとから構成され、６４個の倍音の中から１つを選択するために使用される。ダイヤル３２は、カーソル移動キー３１で選択された倍音の信号レベルを変更するために使用される。なお、実際の電子楽器の操作パネルには、上記以外に、種々のスイッチ、これらスイッチの設定状態を表示するＬＥＤ表示器等が設けられているが図示を省略してある。
【００２２】
この操作パネル１４は、図示しないパネルスキャン回路を含んでおり、このパネルスキャン回路によってキー３１ａ及び３１ｂのオン／オフを表すスイッチデータ及びダイヤル３２で設定された値を表すダイヤルデータをＣＰＵ１０に送る。また、このパネルスキャン回路は、ＣＰＵ１０から送られてきた表示データを表示器３０に送る。これにより、ＣＰＵ１０から送られてきた文字データや図形データに従ったメッセージが表示器３０に表示される。
【００２３】
音源１５は、ＣＰＵ１０からの指示に応答して楽音信号を発生する。この音源１５は倍音加算合成方式を採用しており、正弦波発生装置１５０及びフォルマントフィルタ１５１から構成されている。正弦波発生装置１５０は、上述した６４個の倍音のそれぞれに対応する６４個の正弦波発生器と各正弦波発生器からの信号を加算する加算器（何れも図示しない）とから構成されている。
【００２４】
正弦波発生装置１５０は、鍵盤装置１３からのキーデータに対応する音を基音とする６４個の倍音に対応する正弦波信号を発生する。各正弦波信号の振幅は、操作パネル１４で設定された倍音の信号レベルによって決定される。各正弦波発生器からの正弦波信号は加算器で加算されてフォルマントフィルタ１５１に供給される。
【００２５】
フォルマントフィルタ１５１は、正弦波発生装置１５０からの信号を６４個の周波数帯域毎にフィルタリングする６４個のバンドパスフィルタから構成されている。このフォルマントフィルタ１５１は、正弦波発生装置１５０からの信号を６４個の周波数帯域毎にフィルタリングし、以て各周波数帯域の信号のレベルを、操作パネル１４から設定されたフォルマントフィルタレベルに応じて制御する。なお、フォルマントフィルタ自体は周知であるので詳細な説明は省略する。このフォルマントフィルタ１５１からの出力信号は、楽音信号としてスピーカ１６に供給される。これにより、スピーカ１６から楽音が発生される。
【００２６】
次に、上記の構成において、倍音の信号レベル及びフォルマントフィルタレベルを設定するための操作を説明する。
【００２７】
この電子楽器では、図４（Ａ）に示すように設定された倍音の信号レベルに、図４（Ｂ）に示すようなフォルマントフィルタレベルを有するフォルマントフィルタでフィルタリングした結果、つまり各倍音が図４（Ｃ）に示すような信号レベルを有する倍音構成が表示器３０に表示される。
【００２８】
ユーザが倍音の信号レベルを変更する場合は、先ず、ユーザは操作パネル１４に設けられた編集スイッチ（図示しない）を使用して倍音の信号レベルの設定画面を呼び出し表示器３０に表示させる。そして、表示された画面を見ながらカーソル移動キー３１を操作して１つの倍音を選択する。選択された倍音は、例えば点滅、太線、高輝度等といった特殊な形態で表示される。この状態で、ユーザはダイヤル３２を操作して選択された倍音の信号レベルを変更する。この場合、例えばダイヤル３２を左に回せば信号レベルが小さくなり、右に回せば信号レベルが大きくなる。
【００２９】
この際、その時点で設定されているフォルマントフィルタレベルによって倍音の信号レベルの変化が規制される場合がある。例えば、選択された倍音に対応するフォルマントフィルタレベルがゼロに設定されていればダイヤル３２を操作しても倍音の信号レベルはゼロのままである。また、フォルマントフィルタレベルがゼロより大きい値に設定されていればダイヤル３２の操作に応じて倍音の信号レベルが変化する。以上の操作を、変更したい倍音毎に行うことにより所望の音色の楽音が得られる。
【００３０】
次に、ユーザがフォルマントフィルタレベルを変更する場合は、先ず、ユーザは操作パネル１４に設けられた編集スイッチ（図示しない）を使用してフォルマントフィルタ特性の設定画面を呼び出し表示器３０に表示させる。そして、表示された画面を見ながらカーソル移動キー３１を操作して１つの倍音に対応する周波数帯域を選択する。選択された周波数帯域は、例えば点滅、太線、高輝度等といった特殊な形態で表示される。この状態で、ユーザはダイヤル３２を操作して選択された周波数帯域のフォルマントフィルタレベルを変更する。この場合、例えばダイヤル３２を左に回せばフォルマントフィルタレベルが小さくなり、右に回せばフォルマントフィルタレベルが大きくなる。
【００３１】
この際、その時点で設定されている倍音の信号レベルがフォルマントフィルタレベルによって規制されているかどうか、即ち倍音の信号レベルがフォルマントフィルタレベルより大きいかどうかによって表示動作が異なる。例えば、その倍音の信号レベルがゼロに設定されていれば、ダイヤル３２を操作しても倍音の信号レベルはゼロのままである。また、倍音の信号レベルがゼロより大きい値に設定されていれば、ダイヤル３２の操作に応じて倍音の信号レベルが変化する。以上の操作を、変更したい周波数帯域毎に行うことにより所望の音色の楽音が得られる。
【００３２】
以上のように、ユーザは、表示器３０の画面を見ながらダイヤル３２を操作することにより倍音の信号レベル及びフォルマントフィルタレベルの何れかを変更すれば、実際に楽音生成に使用される倍音構成が表示器３０に表示されるので、簡単且つ確実に所望の倍音構成を設定できる。
【００３３】
次に、上記のように構成される電子楽器の動作を、図５〜図７に示したフローチャートを参照しながら説明する。
【００３４】
（実施の形態１）
この実施の形態１に係る電子楽器では、実際に楽音生成に使用される倍音構成を表す図形が表示器３０に表示される。
【００３５】
図５は、本発明の実施の形態１に係る電子楽器のメイン処理を示すフローチャートである。このメイン処理は電源の投入又は図示しないリセットスイッチの押下により開始される。メイン処理では、先ず、初期化処理が行われる（ステップＳ１０）。この初期化処理では、ＣＰＵ１０の内部のハードウェア、ワークメモリに定義されているレジスタ、カウンタ、フラグ等が初期状態に設定される。
【００３６】
この初期化処理が終了すると、次いで、パネル処理が行われる（ステップＳ１１）。このパネル処理においては、操作パネル１４上の各種スイッチの操作に応じて、その操作されたスイッチに割り当てられている機能を実現するための処理が行われる。このパネル処理の詳細は後述する。
【００３７】
次いで、鍵盤処理が行われる（ステップＳ１２）。この鍵盤処理では、鍵盤装置１３の操作に応答して、その時点で設定されている倍音構成の音色で音が発生される。即ち、ＣＰＵ１０が鍵盤装置１３からのキーデータを音源１５に供給すると、音源１５はキーデータに対応する音を基音とする６４個の倍音から構成される楽音信号を生成し、スピーカ１６に送る。これにより、スピーカ１６から楽音が発生される。
【００３８】
次いで、「その他の処理」が行われる（ステップＳ１３）。この「その他の処理」では、上述した以外の処理、例えば図示しないＭＩＤＩインタフェースからのＭＩＤＩメッセージの送受処理等が行われる。その後シーケンスはステップＳ１１に戻り、以下ステップＳ１１〜Ｓ１３の各処理が繰り返される。この繰り返し実行の過程で、鍵盤装置１３及び操作パネル１４が操作されるとそれらに応じた処理が行われ、以て電子楽器としての各種機能が実現される。
【００３９】
次に、上記ステップＳ１１で行われるパネル処理の詳細を図６に示したフローチャートを参照しながら説明する。
【００４０】
このパネル処理では、先ず、カーソル移動キー３１のイベントがあるかどうかが調べられる（ステップＳ２０）。そして、イベントがあることが判断されると、カーソルが移動される（ステップＳ２１）。即ち、キー３１ａのイベントであればカーソルが左側に移動され、キー３１ｂのイベントであればカーソルが右側に移動される。これにより、６４個の倍音の中の１つが選択される。
【００４１】
次いで、ダイヤル３２のイベントがあるかどうかが調べられる（ステップＳ２２）。ここで、ダイヤル３２のイベントが無いことが判断されると、その他の処理が行われる（ステップＳ２９）。この「その他の処理」では、操作パネル１４に搭載された図示しないスイッチのイベントに対応する処理が行われる。この電子楽器の動作モードを、図示しない編集スイッチの操作に応答して倍音編集モード及びフォルマントフィルタ編集モードに移行させる処理も、この「その他の処理」で行われる。その後、シーケンスはメイン処理ルーチンにリターンする。
【００４２】
一方、上記ステップＳ２２でダイヤル３２のイベントが有ることが判断されると、次いで、倍音編集モードであるかどうかが調べられる（ステップＳ２３）。そして、倍音編集モードであることが判断されると、倍音編集モードで倍音の信号レベルの変更が指示された旨が認識され、ダイヤル３２からのダイヤルデータが倍音の信号レベルを表すデータ（以下、「倍音レベルデータ」という）として音源１５の正弦波発生装置１５０に送られると共に、倍音レベルバッファＨＬに格納される（ステップＳ２７）。倍音レベルデータが格納される倍音レベルバッファＨＬの位置は、その時点でカーソルによって選択されている倍音に対応する記憶領域である。次いで、表示処理が行われる（ステップＳ２６）。この表示処理では、詳細は後述するが、変更後の倍音の信号レベルが表示される。その後、シーケンスはメイン処理ルーチンにリターンする。
【００４３】
上記ステップＳ２３で、倍音編集モードでないことが判断されると、次いで、フォルマントフィルタ編集モードであるかどうかが調べられる（ステップＳ２４）。そして、フォルマントフィルタ編集モードであることが判断されると、フォルマントフィルタ特性の変更が指示された旨が認識され、ダイヤル３２からのダイヤルデータがフォルマントフィルタレベルを表すデータ（以下、「フォルマントフィルタレベルデータ」という）として音源１５のフォルマントフィルタ１５１に送られると共に、フォルマントフィルタレベルバッファＦＬに格納される（ステップＳ２５）。フォルマントフィルタレベルデータが格納されるフォルマントフィルタレベルバッファＦＬの位置は、その時点でカーソルによって選択されている周波数帯域（倍音）に対応する記憶領域である。次いで、表示処理が行われる（ステップＳ２６）。
【００４４】
上記ステップＳ２４で、フォルマントフィルタ編集モードでないことが判断された場合は、その他の処理が行われる（ステップＳ２８）。この「その他の処理」では、例えば音色選択モード中にダイヤル３２が操作された場合の音色選択処理、リズム選択モード中にダイヤル３２が操作された場合のリズム選択処理等が行われる。
【００４５】
次に、上記ステップＳ２６で行われる表示処理の詳細を、図７に示したフローチャートを参照しながら説明する。
【００４６】
この表示処理では、先ず、ワークメモリ１２に設けられた倍音カウンタｈｎに初期値として「１」が設定される（ステップＳ３０）。次いで、倍音レベルバッファＨＬ内の、倍音カウンタｈｎの内容に対応する記憶領域の内容と、フォルマントフィルタレベルバッファＦＬ内の、倍音カウンタｈｎの内容に対応する記憶領域の内容とが乗算され、結果が表示バッファＨＤＬ内の、倍音カウンタｈｎの内容に対応する記憶領域に格納される（ステップＳ３１）。
【００４７】
次いで、倍音カウンタｈｎの内容がインクリメント（＋１）される（ステップＳ３２）。次いで、倍音カウンタｈｎの内容が「６４」より大きいかどうかが調べられる（ステップＳ３３）。そして、倍音カウンタｈｎの内容が「６４」より大きくないことが判断されると、シーケンスはステップＳ３１に戻る。以下、同様にしてステップＳ３１〜Ｓ３３の処理が６４回繰り返され、ステップＳ３３で倍音カウンタｈｎの内容が「６４」より大きくなったことが判断されると、表示バッファＨＤＬの内容が操作パネル１４の表示器３０に送られる（ステップＳ３４）。表示器３０は、上記表示バッファＨＤＬの内容を縦棒の画像データに変換して画面に表示する。これにより、表示器３０には、フォルマントフィルタ１５１でフィルタリングされた倍音の信号レベル、つまり実際に使用される倍音構成が表示される。その後、シーケンスはパネル処理ルーチンにリターンする。
【００４８】
（実施の形態２）
この実施の形態２に係る電子楽器では、設定された倍音の信号レベルを表す図形及びフォルマントフィルタレベルを表す図形の双方が同時に表示器３０に表示される。
【００４９】
図８は、この実施の形態２に係る電子楽器の表示器３０への表示例であり、画面の一部を拡大して示す。この実施の形態２においては、倍音の信号レベルが縦棒で示されると共に、フォルマントフィルタレベルが短い横棒で上記縦棒上に示される。
【００５０】
この実施の形態２では、図７に示した表示処理ルーチンが、上述した実施の形態１の表示処理ルーチンと異なる。この実施の形態２に係る表示処理を、図９のフローチャートに示す。この表示処理では、先ず、倍音レベルバッファＨＬの内容が表示器３０に送られる（ステップＳ４０）。次いで、フォルマントフィルタレベルバッファＦＬの内容が表示器３０に送られる（ステップＳ４１）。これにより、表示器３０は、上記倍音レベルデータを縦棒の画像データに、フォルマントフィルタレベルデータを短い横棒の画像データにそれぞれ変換し、これらの論理和をとって画面に表示する。その後、シーケンスはパネル処理ルーチンにリターンする。
【００５１】
この実施の形態２に係る電子楽器によれば、倍音の信号レベルとフォルマントフィルタレベルとが別々に、同一画面上に表示されるので、ユーザは、倍音の信号レベル及びフォルマントフィルタレベルの何れを変更すればよいかを一目で認識することができる。
【００５２】
【発明の効果】
以上詳述したように、本発明によれば、ユーザが所望する音色を簡単且つ確実に設定できる電子楽器を提供できる。
【図面の簡単な説明】
【図１】本発明の実施の形態１及び２に係る電子楽器の構成を概略的に示すブロック図である。
【図２】図１に示したワークメモリに設けられるバッファの構造を説明するための図である。
【図３】図１に示した操作パネルの詳細な構成を示す図である。
【図４】本発明の実施の形態１に係る電子楽器の動作を説明するための図である。
【図５】本発明の実施の形態１及び２に係る電子楽器のメイン処理ルーチンを示すフローチャートである。
【図６】図５に示したパネル処理の詳細を示すフローチャートである。
【図７】図６に示した表示処理の実施の形態１における処理内容を示すフローチャートである。
【図８】本発明の実施の形態２に係る電子楽器の動作を説明するための図である。
【図９】図６に示した表示処理の実施の形態２における処理内容を示すフローチャートである。
【符号の説明】
１０  ＣＰＵ
１１  プログラムメモリ
１２  ワークメモリ
１３  鍵盤装置
１４  操作パネル
１５  音源
１６  スピーカ
２０  バス
３０  表示器
３１  カーソル移動キー
３１ａ、３１ｂ  キー
３２  ダイヤル
１５０  正弦波発生装置
１５１  フォルマントフィルタ
ｈｎ  倍音カウンタ
ＨＬ  倍音レベルバッファ
ＦＬ  フォルマントフィルタレベルバッファ
ＨＤＬ  表示バッファ
【図１】
0004183354.tif 000002
【図２】
0004183354.tif 000003
【図３】
0004183354.tif 000004
【図４】
0004183354.tif 000005
【図５】
0004183354.tif 000006
【図６】
0004183354.tif 000007
【図７】
0004183354.tif 000008
【図８】
0004183354.tif 000009
【図９】
0004183354.tif 000010